(57)【要約】【課題】シール対象穴の周縁部に全周にわたり、高低が７０μｍ〜１００μｍの範囲で周方向に変化する抑揚を設けた金属製ガスケットにおいて、製造に際して、加工量の自由度が高く、加工時のチューニングが容易で、作業効率を向上できる金属製ガスケット及びその製造方法を提供する。【解決手段】金属製ガスケットの少なくとも１枚の金属構成板１０において、シール対象穴２の周囲に、環状の圧力調整部１２ａを設け、該圧力調整部１２ａを前記シール対象穴２の周囲方向に凹凸を形成し、該凹凸の高低差を０μｍより大きく１００μｍ以下の範囲とすると共に、前記環状の圧力調整部１２ａを有するリング状部材１２を該リング状部材１２の外側の部材１１と別体で形成し、前記リング状部材１２と前記外側の部材１１と接合して１枚の金属構成板１０として取り扱えるように構成する。【選択図】図１
2010249206.tif 000002
【特許請求の範囲】
【請求項１】
１枚又は２枚以上の金属構成板を有し、少なくとも１枚の金属構成板において、シール対象穴の周囲に、環状の圧力調整部を設け、該圧力調整部を前記シール対象穴の周囲方向に凹凸を形成し、該凹凸の高低差を０μｍより大きく１００μｍ以下の範囲とすると共に、前記環状の圧力調整部を有するリング状部材を該リング状部材の外側の部材と別体で形成し、前記リング状部材と前記外側の部材と接合して１枚の金属構成板として取り扱えるように構成したことを特徴とする金属製ガスケット。
【請求項２】
前記リング状部材が複数のシール対象穴を有するように構成したことを特徴とする請求項１記載の金属製ガスケット。
【請求項３】
請求項１又は２記載の金属製ガスケットの製造方法において、前記環状の圧力調整部をコイニング加工して前記凹凸を形成した後に、１枚の金属構成板として取り扱えるように前記金属構成板と接合することを特徴とする金属製ガスケットの製造方法。
【発明の詳細な説明】
【技術分野】
【０００１】
本発明は、二つの部材の間に挟持してシールを行う金属製ガスケット及びその製造方法に関し、より詳細には、ガスケットを挟む押圧力をシール面圧の発生に効率よく利用できて、優れたシール性能を発揮できる金属製ガスケット及びその製造方法に関する。
【背景技術】
【０００２】
エンジンのマニホールドガスケット等の金属製ガスケットは、自動車のエンジンのシリンダブロック（シリンダボディ）と排気管や吸気管等の２つの部材の間に挟まれた状態で、ボルトにより締結され、燃焼ガス等の流体をシールする役割を持っている。
【０００３】
最近のエンジンは、従来のエンジンに比べて、小型化、軽量化が進んで、材質が鋳鉄からアルミニウム合金に変わると共に、エンジンの高出力化に伴って、燃焼ガスの圧力は増加の傾向にある。また、一方で、エンジンの軽量化の面から、ガスケットに使用できる金属構成板の枚数も少なくなりつつあり、少ない枚数の金属構成板で高いシール性能を発揮する必要が生じている。
【０００４】
一方、金属製ガスケットの一つとして、シリンダ穴周りの面圧を均一にするために、第一プレートと第二プレートのみでガスケット母材を構成し、第一プレートを第二プレート側方向に折り返してシリンダ穴を取り囲む複数個の折り返し部を設けて、この折り返し部内にシリンダ穴４を取り囲むリング状の金属片を収設し、この金属片のシリンダ穴間の部分に部分的なビードを設けた金属積層形ガスケットが提案されている（例えば、特許文献１参照。）。
【０００５】
この金属積層形ガスケットでは、金属片の板厚や金属片に部分的に設けたビードによって面圧を調整し、シリンダ穴周りの面圧の均一化を図っている。
【０００６】
また、シリンダ穴の周方向において発生する面圧分布を連続的になだらかな分布にするために、複数のシリンダ穴を有し、このシリンダ穴にシール手段を設けた金属基板で構成される補強板入り金属積層形ガスケットにおいて、シリンダ穴周囲の一部分にシール手段に対して面圧補強する面圧補強板を配設すると共に、面圧補強板のシリンダ穴の周方向の端部を連続的な傾斜に形成した金属積層形ガスケットが提案されている（例えば、特許文献２参照。）。
【０００７】
この金属積層形ガスケットでは、金属片の面圧補強板の周方向の端部を連続的な傾斜で形成することにより、シリンダ穴の周方向において発生する面圧分布を連続的になだらかな分布としている。
【０００８】
しかしながら、これらの金属積層形ガスケットにおいては、面圧調整や面圧補強のための金属片は、金属積層形ガスケットを構成する金属構成板に比較すると著しく小さな部品となるため、単品での加工時、及び、ガスケットへの組み付け時等において取り扱いに注意が必要になり、作業効率が悪化するという問題がある。
【０００９】
また、金属加工において、金属の表面に微小高低差を形成することができるコイニング加工が知られており、発明者らは、これらの面圧調整や面圧補強のための金属片の有無による板厚の変化の代わりに、コイニング加工により凹凸を形成した面圧調整部を使用することが有効であると考えた。
【００１０】
しかしながら、面圧調整のために微妙な板厚の変化が必要な部分はシール対象穴の周縁部のみであるので、金属構成板のこの部分のみにコイニング加工を施すに際して、比較的大きな金属構成板のままコイニング加工するのでは、大きな型材が必要になる上に、コイニング加工に際しての取り扱いが面倒となり、製造時の作業効率が悪化するという問題がある。
【先行技術文献】
【特許文献】
【００１１】
【特許文献１】特開平９−３１０７６１号公報
【特許文献２】特開２００５−３１０７６１号公報
【発明の概要】
【発明が解決しようとする課題】
【００１２】
本発明は、上記の状況を鑑みてなされたものであり、本発明の目的は、シリンダボア等のシール対象穴の周縁部に、シール対象穴の全周にわたり、高低が０μｍより大きく１００μｍ以下の範囲で周方向に変化する抑揚を設けた構造の金属製ガスケットにおいて、製造に際して、加工量の自由度が高く、加工時のチューニングが容易で、作業効率を向上できる金属製ガスケット及びその製造方法を提供することにある。
【課題を解決するための手段】
【００１３】
上記の目的を達成するための本発明の金属製ガスケットは、１枚又は２枚以上の金属構成板を有し、少なくとも１枚の金属構成板において、シール対象穴の周囲に、環状の圧力調整部を設け、該圧力調整部を前記シール対象穴の周囲方向に凹凸を形成し、該凹凸の高低差を０μｍより大きく１００μｍ以下の範囲とすると共に、前記環状の圧力調整部を有するリング状部材を該リング状部材の外側の部材と別体で形成し、前記リング状部材と前記外側の部材と接合して１枚の金属構成板として取り扱えるように構成される。
【００１４】
また、上記の金属製ガスケットにおいて、前記リング状部材が複数のシール対象穴を有するように構成する。この構成によれば、凹凸を形成するための加工に供する部分が、シール対象穴毎のリング状部材よりも大きくなるが、全体としての部品点数を少なくすることができる。
【００１５】
また、上記の目的を達成するための発明の金属製ガスケットの製造方法は、上記の金属製ガスケットの製造方法において、前記環状の圧力調整部をコイニング加工して前記凹凸を形成した後に、１枚の金属構成板として取り扱えるように前記金属構成板と接合することを特徴とする方法である。
【００１６】
なお、このリング状部材は、内周側はシール対象穴に沿って円形に形成するが、外周側は必ずしも円形にする必要はなく、凹凸を形成する加工時の取り扱いが容易な形状、あるいは、金属構成板との接合に便利な形状、例えば、正方形や長方形や多角形や楕円等にしてもよく、平面視で凹凸のある形状にしてもよい。
【００１７】
又、リング状部材と外側の部材との接合には、レーザーによる突合せ溶接や、スポット溶接、リベット接合等を用いることができるが、シール対象穴の周囲方向に移動するのを阻止できれば、カシメや嵌合等の接合方法を用いてもよい。
【発明の効果】
【００１８】
本発明の金属製ガスケット及びその製造方法によれば、シール対象穴の周縁部に配置される圧力調整部を有するリング状部材を金属構成板と別体で形成したので、金属構成板を分離して、環状の圧力調整部を持つ部材を単独で、凹凸形成のための加工ができるので、凹凸加工が容易となる。例えば、コイニング加工で凹凸を形成する場合に、加工部位が金属構成板全体に比べて小さい部材となるので、コイニング加工の型材が小さくて済み、また、取り扱いも容易となり、作業性が向上する。更に、加工する部材が小さくなるので、コイニング量の自由度が上がり、加工時のチューニングが容易となる。
【００１９】
更に、別体としての圧力調整部を持つリング状部材を金属構成板と接合して１枚の金属構成板として取り扱えるようにしているので、他の金属構成板と組み合わせる場合に取り扱う部材の大きさが略同じ大きさとなるため、取り扱いが容易となり、位置決め等も容易となるので、組み付け作業の効率を向上することができる。
【図面の簡単な説明】
【００２０】
【図１】本発明の第１の実施の形態のシリンダヘッドガスケットの構成を示す部分断面図である。
【図２】本発明の第１の実施の形態のシリンダヘッドガスケットの第１金属構成板の構成を示す平面図である。
【図３】本発明の第１の実施の形態のシリンダヘッドガスケットの構成を示す平面図である。
【図４】本発明の第２の実施の形態のシリンダヘッドガスケットの構成を示す部分断面図である。
【発明を実施するための形態】
【００２１】
次に、図面を参照して本発明に係る金属ガスケット及びその製造方法の実施の形態についてシリンダヘッドガスケットを例にして説明する。しかしながら、本発明は、このシリンダヘッドガスケットに限定されず、排気マニホールドガスケット等あるいはエンジンに使用される以外の他の金属ガスケットにも適用できる。なお、図１〜図３は、模式的な説明図であり、構成をより理解し易いように、板厚、シール対象穴の大きさ、折返し部の大きさ等の寸法を実際のものとは異ならせて、誇張して示している。
【００２２】
本発明に係る実施の形態の金属製ガスケットは、エンジンのシリンダヘッドとシリンダブロック（シリンダボディ）のエンジン部材の間に挟持されるシリンダヘッドガスケットであって、シリンダボアの高温・高圧の燃焼ガス、及び、冷却水通路や冷却オイル通路等の冷却水やオイル等の流体をシールする。
【００２３】
このシリンダヘッドガスケットは、軟鋼板、ステンレス焼鈍材（アニール材）、ステンレス調質材（バネ鋼板）等で形成される金属構成板（金属基板）を複数有して構成される。また、シリンダブロック等のエンジン部材の形状に合わせて製造され、図２及び図３に示すように、シリンダボア用穴（燃焼室用穴）２、冷却水のための水穴（冷却水用穴）３、エンジンオイルの循環のためのオイル穴４、締結ヘッドボルト用のボルト穴５等が形成される。
【００２４】
図１〜図３に示すように、本発明に係る第１の実施の形態のシリンダヘッドガスケット１は、第１の金属構成板１０と第２の金属構成板２０とで構成され、第１金属構成板１０は、円環状の面圧調整部１２ａを持つリング状部材１２と、その外側の部材１１を有しており、第２金属構成板２０は、曲げ部２１と折り返し部２２とを有している。この第１金属構成板１０の基部部材１１と第２金属構成板２０は、例えばステンレス焼鈍材で形成する。一方、リング状部材１２は、例えばバネ鋼板で形成する。
【００２５】
このリング状部材１２は、第１金属構成板１０の基部部材１１とは別体に形成し、別体の状態で、第２金属構成板２０の折り返し部２２と当接する面又は反対の面に、コイニング加工により高低差が７０μｍ〜１００μｍの範囲となるような周方向に関して凹凸となる円環状の圧力調整部１２ａを設ける。この圧力調整部１２ａはシール対象穴２の周囲方向の面圧を均一化させるためのものであり、隣のシール対象穴２と隣接する部分では高く、ボルト穴５の近傍の部分では低く形成する。
【００２６】
この凹凸が形成されたリング状部材１２を外側の部材１１と突合せ溶接やスポット溶接等で接合して１枚の金属構成板１０として取り扱えるように構成する。この場合に、リング状部材１２の圧力調整部１２ａが機能できるように、少なくとも接合部１３の周辺部分では、例えば、第１金属構成板１０と第２金属構成板２０とを積層し、折り返し部２０を形成した時に、折り返し部２２の端部２３より内側の部分では、外側の部材１１の板厚がリング状部材１２の板厚よりも小さくなるようにする。
【００２７】
この圧力調整部１２ａが第２金属構成板２０の折り返し部２２の内側に入り、折り返し部２２の端部２３が、圧力調整部１２ａの外周である接合部１３の外周側になるように配置して、第１金属構成板１０を第２金属構成板２０に積層する。積層後、第２金属構成板２０のシール対象穴２の周縁部をプレス加工などにより折り曲げて、曲げ部２１と折り返し部２２を形成する。また、このプレス加工時に、必要なビード（図示しない）等を形成する。
【００２８】
このシリンダヘッドガスケット１によれば、シリンダボア用穴２の周囲に、コイニング加工等で形成される、高低差が０μｍより大きく１００μｍ以下の範囲となるような周方向に関して凹凸を有する円環状の圧力調整部１２ａが配置されることになる。言い換えれば、シリンダボア用穴２の周囲に周方向に沿って０μｍ〜１００μｍのダイナミックな抑揚が連続的に設けられる。従って、この凹凸により、第２金属構成板２０及び折り返し部２２と当接する部分で発生する面圧を均等化することができる。
【００２９】
従って、上記のシリンダガスケット１及びその製造方法によれば、シリンダボア用穴２の周縁部に配置される圧力調整部１２ａを有するリング状部材１２を第１金属構成板１０の外側の部材１１と別体で形成したので、外側の部材１１を分離して、リング状部材１２を単独で、凹凸形成のための加工ができるので、凹凸加工が容易となる。例えば、コイニング加工で凹凸を形成する場合に、加工部位が第１金属構成板１０の全体に比べて著しく小さい部材となるので、コイニング加工の型材が小さくて済み、また、取り扱いも容易となるので、作業性が向上する。更に、加工する部材が小さくなるので、コイニング量の自由度が上がり、加工時のチューニングが容易となる。
【００３０】
更に、別体としてのリング状部材１２を外側の部材１１と接合して１枚の第１金属構成板１０として取り扱えるようにしているので、他の第２金属構成板２０と組み合わせる場合に取り扱う部材の大きさが略同じ大きさとなるため、取り扱いが容易となり、位置決め等も容易となるので、組み付け作業の効率を向上することができる。
【００３１】
なお、上記の第１の実施の形態の説明では、説明を簡略化するために、シリンダボア用穴２のシール手段として、圧力調整部１２ａと折り返し部２２の構成のみとしたが、実際には、折り返し部のみではなく、フルビード、ハーフビード、グロメット、中間板等との組み合わせで、圧力調整部１２ａを用いることができる。
【００３２】
そのため、圧力調整部１２ａを有するリング状部材１２の板厚と外側の部材１１の板厚に関しては、必ずしも、リング状部材１２の板厚が外側の部材１１の板厚より大きくなくても、圧力調整機能を果たすことができる。例えば、圧力調整部１２ａにフルビード又はハーフビードが当接するような場合は、リング状部材１２の板厚が外側の部材１１の板厚より小さくても大きくなくても、圧力調整機能を果たすことができる。
【００３３】
例えば、図４の第２の実施の形態のシリンダヘッドガスケット１Ａのように、圧力調整部１２ａにフルビード３１が接し、リング状部材１２の板厚が外側の部材１１の板厚より小さいが、圧力調整部１２ａは圧力調整機能を果たしている。
【００３４】
このシリンダヘッドガスケット１Ａでは、第１金属構成板１０は、円環状の面圧調整部１２ａを持つリング状部材１２と、その外側の部材１１を有しており、第２金属構成板２０は、曲げ部２１と折り返し部２２とを有している。このリング状部材１２は、第１の実施の形態と同様に形成される。このリング状部材１２が第２金属構成板２０の折り返し部２２の内側に入り、折り返し部２２の端部２３が、圧力調整部１２ａの外周である接合部１３と略同じになるように配置して、第１金属構成板１０を第２金属構成板２０に積層する。
【００３５】
このシリンダヘッドガスケット１Ａでは、圧力調整部１２ａの上にビード３１を有するリング状のビード板３０を配置する。このビード板３０は外側の部材１１と接合してした方が取り扱いが容易になるが、溶接などで変形する場合には接合せずに上に置く構成としてもよい。このビード板３０は圧力調整部１２ａと共に第２金属構成板２０の折り返し部２２と反対側に配置する。このシリンダヘッドガスケット１Ａでは、更に中間板４０を外側の部材１１のハーフビード１１ａの外周側で、かつ、第２金属構成板２０の折り返し部２２と反対側に配置する。また、第２金属構成板２０にフルビード５１の凸部が接するように第３金属構成板５０を配置し、更に、第２金属構成板２０の折り返し部２２にフルビード６１の凸部が接するように第４金属構成板６０を配置する。また、この第４金属構成板６０は、フルビード６１の外周側にハーフビード６２を有している。
【００３６】
そして、第３金属構成板５０のフルビード５１、ビード板３０のフルビード３１、第４金属構成板６０のフルビード６１は、それらの凸部が平面視で略同じに位置になうように、シリンダボア用穴２の周囲を囲んで配置される。また、第４金属構成板６２のハーフビード６２は中間板４０と平面視で重なるように配置される。
【００３７】
上記の第１及び第２の実施の形態では、シール対象穴であるシリンダボア用穴２毎にリング状部材１２を設けたが、リング状部材が複数のシリンダボア用穴２を有するように構成してもよい。この構成は、シリンダボア用孔２の相互間の距離が短いときに効果的であり、この構成によれば、凹凸を形成するための加工に供する部分であるリング状部材が、シリンダボア用穴２毎のリング状部材１２よりも大きくなるが、全体としての部品点数を少なくすることができる。
【産業上の利用可能性】
【００３８】
本発明の金属製ガスケット及びその製造方法は、シリンダボア等のシール対象穴の周縁部に、シール対象穴の全周にわたり、高低が０μｍより大きく１００μｍ以下の範囲で周方向に変化する抑揚を設けた構造の金属ガスケットにおいて、製造に際して、加工量の自由度が高く、加工時のチューニングが容易で、作業効率を向上できるので、内燃機関のシリンダヘッドガスケットやマニホールドガスケット等の金属製ガスケット及びその製造方法として利用できる。
【符号の説明】
【００３９】
１、１Ａ  シリンダヘッドガスケット（金属ガスケット）
２  シリンダボア用穴（シール対象穴）
３  水穴
４  オイル穴
５  ボルト穴
１０  第１の金属構成板
１１  外側の部材
１２  リング状部材
１２ａ  面圧調整部
２０  第２金属構成板
２１  曲がり部
２２  折り返し部
２３  折り返し部の端部
【図１】
2010249206.tif 000003
【図２】
2010249206.tif 000004
【図３】
2010249206.tif 000005
【図４】
2010249206.tif 000006